(57)【要約】【課題】被記録材の収容動作の際における該被記録材の先端位置揃え機能と、給送動作の際における分離機能の両方を発揮できる被記録材給送用カセットを提供すること。【解決手段】記録装置本体2に着脱可能な被記録材給送用カセット3であって、送り出される被記録材の先端と対向し、収容される被記録材の先端と接触する第１姿勢47と、第１姿勢よりも被記録材の送り出し方向に倒れて被記録材給送用カセットの底面に対して所定の傾斜角を成す第２姿勢49をとり得る内壁45と、内壁の第１姿勢と第２姿勢を記録装置本体に対する着脱操作によって切り換える切換え機構51とを備え、前記切換え機構は、記録装置本体に装着する時、内壁45の第１姿勢を保持する第１位置67から第２姿勢に移行させる第２位置69に移動し、記録装置本体から取り外す時、前記第２位置から前記第１位置に移動するスライダー61と、カム81と、カムフォロア８３とを備えている。【選択図】図４
2012201442.tif 000002
【特許請求の範囲】
【請求項１】
被記録材を積畳状態で収容可能で記録装置本体に着脱可能な被記録材給送用カセットであって、
送り出される被記録材の先端と対向し、収容される被記録材の先端と接触する第１姿勢と、前記第１姿勢よりも被記録材の送り出し方向に倒れて前記被記録材給送用カセットの底面に対して所定の傾斜角を成す第２姿勢をとり得る内壁と、
前記内壁の第１姿勢と第２姿勢を記録装置本体に対する着脱操作によって切り換える切換え機構と、を備え、
前記切換え機構は、
記録装置本体に装着する時、前記内壁の第１姿勢を保持する第１位置から該内壁の第１姿勢の保持を解除して当該内壁を第２姿勢に移行させる第２位置に移動し、記録装置本体から取り外す時、前記第２位置から前記第１位置に移動するスライダーと、
前記スライダーに設けられ、前記内壁の第１姿勢を保持するカム高さの保持作用面を有するカムと、
前記内壁に設けられ、前記カムの保持作用面に当接することで第２姿勢をとっていた当該内壁を第１姿勢に移行させるカムフォロアと、
を備えていることを特徴とする被記録材給送用カセット。
【請求項２】
請求項１に記載された被記録材給送用カセットにおいて、
前記内壁は、前記第１姿勢においては収容される被記録材の先端と当接することにより当該先端を揃えるよう機能し、前記第２姿勢においては被記録材の給送時に最上位の被記録材と次位以降の被記録材との分離を行うよう機能するものであることを特徴とする被記録材給送用カセット。
【請求項３】
請求項１または２に記載された被記録材給送用カセットにおいて、
前記スライダーは、前記被記録材給送用カセットの底部を一部凹陥して形成した摺動凹部に係合して、前記第１位置と前記第２位置との間で前記着脱の操作方向に摺動可能に設けられていることを特徴とする被記録材給送用カセット。
【請求項４】
請求項１〜３のいずれか一項に記載された被記録材給送用カセットにおいて、
前記カムは、前記保持作用面を有する水平保持部と、
前記水平保持部から徐々にカム高さが低くなる傾斜案内面を有する傾斜案内部と、を備えていることを特徴とする被記録材給送用カセット。
【請求項５】
請求項１〜４のいずれか一項に記載された被記録材給送用カセットにおいて、
前記カムフォロアは、前記内壁が第１姿勢をとっているときに前記保持作用面と平行になって当接する基端当接面を備えていることを特徴とする被記録材給送用カセット。
【請求項６】
請求項１〜５のいずれか一項に記載された被記録材給送用カセットにおいて、
前記内壁に対して第２姿勢をとる方向に付勢する付勢部材が設けられていることを特徴とする被記録材給送用カセット。
【請求項７】
請求項１〜６のいずれか一項に記載された被記録材給送用カセットにおいて、
前記内壁と前記切換え機構は、前記被記録材給送用カセットの幅方向の両側にそれぞれ設けられていることを特徴とする被記録材給送用カセット。
【請求項８】
被記録材を積畳状態で収容可能な被記録材給送用カセットが着脱可能に装着される記録装置であって、
前記被記録材給送用カセットは、請求項１〜７のいずれか一項に記載された被記録材給送用カセットであることを特徴とする記録装置。
【発明の詳細な説明】
【技術分野】
【０００１】
本発明は、被記録材を積畳状態で収容可能で記録装置本体に着脱可能な被記録材給送用カセット及び該被記録材給送用カセットを備えた記録装置に関するものである。
【背景技術】
【０００２】
インクジェットプリンター、レーザープリンター、複写機、ファクシミリ等を含む記録装置には、多数枚の被記録材（以下、「用紙」ともいう）を積畳状態で収容し、記録装置本体（以下、「プリンター本体」ともいう）に対して装着して使用することができる着脱可能な被記録材給送用カセット（以下、「給送用カセット」ともいう）を備えた機種が多数存在している。  
前記給送用カセットには、収容される用紙の先端縁を当接させて該用紙の先端位置を揃える機能と、最上位の１枚の用紙のみが引き出されるように最上位の用紙と後続の次位以降の用紙とを分離する分離機能とが求められ、それらの機能を担う内壁が設けられている。
【０００３】
従来の内壁の構造は、下記の特許文献１や特許文献２に示すように、内壁を用紙の給送方向に所定角度傾けて傾斜面を形成し、該傾斜面に用紙の先端縁を突き当てて最上位の用紙と後続の用紙とを分離する構造になっている。  
この種の内壁は構造が簡単で安価であり、しかも必要な分離性能が得られることから、給送用カセット用の内壁の構造として広く採用されている。
【先行技術文献】
【特許文献】
【０００４】
【特許文献１】特開２００６−１１７３６２号公報
【特許文献２】特開平７−２６７４１６号公報
【発明の概要】
【発明が解決しようとする課題】
【０００５】
しかし、前記特許文献１や特許文献２に開示されている内壁は、給送用カセットのカセット本体に対して基本的に固定状態で設けられており、所望の分離性能が得られるように内壁の傾斜角度を設定すると、前述した用紙の先端位置を揃える機能が不充分となる問題があった。具体的には、ユーザーが被記録材給送用カセットに用紙をセットして用紙の先端位置を揃える際に、内壁が傾斜面となっているので用紙の「突き当て感」に乏しく、ユーザーが必要以上に用紙を内壁側に押し込んでしまうため、用紙の先端縁が内壁を乗り越えてしまい、給送不良を引き起こす場合があった。
【０００６】
本発明の目的は、被記録材の収容動作の際における該被記録材の先端位置を揃える機能と、給送動作の際における被記録材の分離機能の両方を発揮できる被記録材給送用カセットを提供することにある。
【課題を解決するための手段】
【０００７】
前記課題を解決するために本発明に係る被記録材給送用カセットの第１の態様は、被記録材を積畳状態で収容可能で記録装置本体に着脱可能な被記録材給送用カセットであって、送り出される被記録材の先端と対向し、収容される被記録材の先端と接触する第１姿勢と、前記第１姿勢よりも被記録材の送り出し方向に倒れて前記被記録材給送用カセットの底面に対して所定の傾斜角を成す第２姿勢をとり得る内壁と、前記内壁の第１姿勢と第２姿勢を記録装置本体に対する着脱操作によって切り換える切換え機構とを備え、前記切換え機構は、記録装置本体に装着する時、前記内壁の第１姿勢を保持する第１位置から該内壁の第１姿勢の保持を解除して当該内壁を第２姿勢に移行させる第２位置に移動し、記録装置本体から取り外す時、前記第２位置から前記第１位置に移動するスライダーと、前記スライダーに設けられ、前記内壁の第１姿勢を保持するカム高さの保持作用面を有するカムと、前記内壁に設けられ、前記カムの保持作用面に当接することで第２姿勢をとっていた当該内壁を第１姿勢に移行させるカムフォロアと、を備えていることを特徴とするものである。  
ここで、被記録材について使用する「先端」とは、被記録材の給送方向前方の端部を意味する。よって、「後端」とは被記録材の給送方向後方の端部を意味する。
【０００８】
本態様によれば、内壁がカセット本体に対して固定された状態で設けられていた従来の被記録材給送用カセットと違って、内壁が積畳状態の被記録材の先端位置を揃える機能（以下「先端揃え機能」ということがある）を発揮するときの第１姿勢と、最上位の被記録材と次位以降の被記録材とを分離する機能（以下「分離機能」ということがある）を発揮するときの第２姿勢とを切り換えることができるように構成されている。  
従って、固定された１つの姿勢で前記先端揃え機能と前記分離機能の両機能を発揮させていた従来の被記録材給送用カセットに比べて、本態様によれば前記両機能を効果的に発揮させることができる。
【０００９】
また、前記内壁の第１姿勢と第２姿勢とを切り換える切換え機構の構成部材として、記録装置本体に対するカセット本体の装着操作と、取外し操作とによって、それぞれ第１位置と第２位置とに移動し得るスライダーを採用したことにより、別途の動力を設けることなく、着脱式の被記録材給送用カセットについて通常行う着脱操作を利用して前記内壁の第１姿勢と第２姿勢とを自動的に切り換えることが可能になる。  
また、前記スライダーの第１位置と第２位置間の移動によってカム高さが変化するカムと、当該カムに当接することで前記内壁を第１姿勢に移行させて保持するカムフォロアとを具備することで、比較的簡単な構造で前記スライダーの動きを内壁の動きに変換し、内壁の第１姿勢を保持することが可能になる。
【００１０】
尚、前記内壁は、揺動支点を中心に前記第１姿勢と前記第２姿勢との間で揺動可能に構成することが望ましい。このように構成することで、被記録材の先端縁に当接する内壁の内壁面の傾斜角度が揺動支点を中心とする内壁の揺動角度によって変化する。そして、内壁が第１姿勢をとったときの内壁面の傾斜角度を被記録材の先端位置を揃えることに適した角度に設定し、内壁が第２姿勢をとったときの内壁面の傾斜角度を被記録材の分離に適した角度に設定すれば、内壁を揺動させるだけの比較的簡単な構造によって内壁に第１姿勢と第２姿勢をとらせることが可能になる。
【００１１】
本発明に係る被記録材給送用カセットの第２の態様は、前記第１の態様において、前記内壁は、前記第１姿勢においては収容される被記録材の先端と当接することにより当該先端を揃えるよう機能し、前記第２姿勢においては被記録材の給送時に最上位の被記録材と次位以降の被記録材との分離を行うよう機能するものであることを特徴とするものである。
【００１２】
本態様によれば、内壁の前記先端揃え機能と前記分離機能の両機能を効果的に発揮させることができる。
【００１３】
本発明に係る被記録材給送用カセットの第３の態様は、前記第１の態様または第２の態様において、前記スライダーは、前記被記録材給送用カセットの底部を一部凹陥して形成した摺動凹部に係合して、前記第１位置と前記第２位置との間で前記着脱の操作方向に摺動可能に設けられていることを特徴とするものである。
【００１４】
本態様によれば、前記スライダーは、被記録材給送用カセットの装着及び取外し方向と同じ着脱方向に摺動でき、前記第１位置と第２位置との間ではカセット本体の動きに制約を受けることなく自由に移動できるようになる。従って、被記録材給送用カセットを記録装置本体に装着する方向に移動させると、スライダーはカセット本体の移動方向と逆に相対移動して前記内壁を第２姿勢に移行させる第２位置に自動的に移動して停止する。  
一方、被記録材給送用カセットを記録装置本体から取外す方向に移動させると、スライダーはカセット本体の移動方向と逆に相対移動して前記内壁を第１姿勢に移行させて保持する第１位置に自動的に移動して停止するようになる。
【００１５】
本発明に係る被記録材給送用カセットの第４の態様は、前記第１の態様から第３の態様のいずれか一つの態様において、前記カムは、前記保持作用面を有する水平保持部と、前記水平保持部から徐々にカム高さが低くなる傾斜案内面を有する傾斜案内部と、を備えていることを特徴とするものである。
【００１６】
本態様によれば、内壁が第１姿勢をとっているときの保持状態が水平保持部によって安定して保たれ、内壁が第１姿勢から第２姿勢に移行する移行開始時の動きと、内壁が第２姿勢から第１姿勢に移行する移行終了時の動きが、傾斜案内部によって案内されることで円滑になる。
【００１７】
本発明に係る被記録材給送用カセットの第５の態様は、前記第１の態様から第４の態様のいずれか一つの態様において、前記カムフォロアは、前記内壁が第１姿勢をとっているときに前記保持作用面と平行になって当接する基端当接面を備えていることを特徴とするものである。
【００１８】
本態様によれば、前記内壁が第１姿勢をとっているときのカムとカムフォロアの当接が保持作用面と基端当接面とによる面での当接になるので、第１姿勢に移行した内壁の保持状態が安定し確実になる。
【００１９】
本発明に係る被記録材給送用カセットの第６の態様は、前記第１の態様から第５の態様のいずれか一つの態様において、前記内壁に対して第２姿勢をとる方向に付勢する付勢部材が設けられていることを特徴とするものである。
【００２０】
本態様によれば、内壁が第１姿勢をとっている時以外の第２姿勢移行時、あるいは移行途中の状態の内壁の姿勢が安定し、内壁が第１姿勢から第２姿勢に移行する際の動きが円滑になる。  
また、第１姿勢と第２姿勢間の移動の途中で内壁の揺動が停止する不具合が解消される。
【００２１】
本発明に係る被記録材給送用カセットの第７の態様は、前記第１の態様から第６の態様のいずれか一つの態様において、前記内壁と前記切換え機構は、前記被記録材給送用カセットの幅方向の両側にそれぞれ設けられていることを特徴とするものである。
【００２２】
本態様によれば、１組のスライダーが受け持つ内壁の負荷が小さくなるので、内壁の揺動が円滑になる。また、スライダーの幅寸法が小さくさなるので被記録材給送用カセットとの摺接面積が小さくなり、スライダーの動きも円滑になる。  
更に、内壁やスライダーを被記録材給送用カセットの幅方向に長く形成すると、部品の寸法精度や撓み等の影響を受け易くなるが、本態様のように左右に分断して各別に内壁と切換え機構を設ければ、これらの影響を受けにくくなり、内壁とスライダーの円滑な移動が容易かつ確実に実行されるようになる。
【００２３】
本発明の第８の態様は、被記録材を積畳状態で収容可能な被記録材給送用カセットが着脱可能に装着される記録装置であって、前記被記録材給送用カセットは、前記第１の態様から第７の態様のいずれか一つの態様の被記録材給送用カセットであることを特徴とするものである。
【００２４】
本態様によれば、被記録材給送用カセットに対して適用される前記第１の態様から第７の態様のいずれか一つの態様の作用、効果が記録装置に対して適用できるようになる。従って、操作が簡単で被記録材の安定した給送が可能な記録装置が提供できるようになり、延いては高品質の記録が円滑に連続して実行できるようになる。
【図面の簡単な説明】
【００２５】
【図１】本発明の実施例に係る被記録材給送用カセットを備えた記録装置を示す分解斜視図。
【図２】本発明の実施例に係る被記録材給送用カセットを装着する途中の状態の記録装置を示す側断面図。
【図３】本発明の実施例に係る被記録材給送用カセットを装着した状態の記録装置を示す側断面図。
【図４】本発明の実施例に係る被記録材給送用カセットを示す内壁が第１姿勢に移行して保持されている時の斜視図。
【図５】同上、内壁が第２姿勢に移行した時の斜視図。
【図６】本発明の実施例に係る被記録材給送用カセットの右端側の内壁周辺を示す内壁が第１姿勢に移行して保持されている時の斜視図。
【図７】同上、内壁が第２姿勢に移行した時の斜視図。
【図８】本発明の実施例に係る被記録材給送用カセットの右端側の内壁と切換え機構を示す図６中のＡ−Ａ線で切断した状態の斜視図。
【図９】本発明の実施例に係る被記録材給送用カセットの右端側の内壁周辺を示す平面図。
【図１０】（Ａ）（Ｂ）は本発明の実施例に係る被記録材給送用カセットの作動態様を段階的に示す側断面図。
【図１１】図１０に続く段階を示す側断面図。
【図１２】（Ａ）（Ｂ）は本発明の他の実施例に係る被記録材給送用カセットの作動態様を示す側断面図。
【図１３】（Ａ）（Ｂ）は本発明の更に他の実施例に係る被記録材給送用カセットの作動態様を示す側断面図。
【発明を実施するための形態】
【００２６】
以下、図１から図１１に示す実施例に基づいて、本発明に係る被記録材給送用カセット３と該被記録材給送用カセット３を備えた記録装置１の構成と前記被記録材給送用カセット３の作動態様について具体的に説明する。  
最初に図１から図３に基づいて本発明の実施例に係る被記録材給送用カセット３が装着される本発明の実施例に係る記録装置１の基本的構成について説明する。
【００２７】
図示の記録装置１は、一例としてＡ３ノビサイズまでの用紙Ｐに対応できるインクジェットプリンター１（「記録装置」と同じ符号を使用する）であって、該インクジェットプリンター１のプリンター本体２（「記録装置本体」と同じ符号を使用する）の一例として下部に着脱可能な後述する本発明の実施例に係る被記録材給送用カセット３が上下に２段、装着されている。  
そして、これらの給送用カセット３は、プリンター本体２の前面の下部に形成されているカセット用開口９に装着され、該カセット用開口９から取り出されるように構成されている。
【００２８】
また、プリンター本体２の前面上部の一例として中央には、各種の操作を実行する時に使用する操作ボタンとモニターとを備える操作部５が設けられており、該操作部５の下方に記録が実行された用紙Ｐを排出する排出用開口６と、排出された用紙Ｐを支える排出用スタッカー７とが設けられている。  
更に、プリンター本体２の上部には、原稿となる用紙や写真等が該原稿に記録された画像を電子データとして読み取るスキャナー８が設けられている。
【００２９】
プリンター本体２の内部には、給送用カセット３に収容された用紙Ｐを搬送経路１１に導く給送装置１３と、搬送経路１１に導かれた用紙Ｐを記録実行領域１５に導き、記録が実行された用紙Ｐを前述した、排出用スタッカー７上に排出させる搬送装置１７と、記録実行領域１５に導かれた用紙Ｐの被記録面に記録を実行する記録実行装置１９とが配設されている。  
このうち、給送装置１３は、揺動支点Ｏを中心に揺動する揺動アーム２１と、該揺動アーム２１の先端部に配設されているピックアップローラー２３と、該ピックアップローラー２３を回転駆動する図示しない駆動モーターと、該駆動モーターの出力軸の回転を前記ピックアップローラー２３の駆動軸２４に伝える図示しないギア輪列と、前記揺動アーム２１を図２、図３中、時計回りに揺動させて前述したピックアップローラー２３を前記給送用カセット３に収容されている最上位の用紙Ｐに当接させる図示しない揺動駆動装置と、を備えることによって一例として構成されている。
【００３０】
搬送装置１７は、搬送経路１１のＵ字状の反転部１２に配設されている大径の駆動ローラーである反転ローラー２５と、該反転ローラー２５に圧接して所定の大きさの摩擦抵抗を付与して重送された用紙Ｐの分離を行うリタードローラー２６と、前記反転ローラー２５に圧接して従動回転する搬送経路１１の順経路１１ａと復経路１１ｂとにそれぞれ配置されている２つのガイドローラー２７、２８と、前記記録実行領域１５の上流位置に設けられている一対のニップローラーによって構成されている搬送用ローラー２９と、前記記録実行領域１５の下流位置に設けられている一対のニップローラーによって構成されている排出用ローラー３０と、これらの各ローラーの駆動ローラーを回転駆動する図示しない駆動モーターと、該駆動モーターの出力軸の回転を前記各駆動ローラーに伝達する図示しないギア輪列と、を備えることによって一例として構成されている。
【００３１】
また、記録実行装置１９は、各色のインクを吐出して所望の記録を実行する記録ヘッド３１と、該記録ヘッド３１を搭載して用紙Ｐの搬送方向と交差する幅方向Ｂに往復移動するキャリッジ３３と、記録実行領域１５に供給された用紙Ｐの被支持面を支えて前記記録ヘッド３１と記録が実行される用紙Ｐとの間に所定のギャップを規定する支持部材３５と、を備えることによって基本的に構成されている。
【００３２】
［実施例］（図１〜図１１参照）
このようにして構成されるインクジェットプリンター１に対して装着される本発明の実施例に係る給送用カセット３は、多数枚の用紙Ｐを積畳状態で収容し得る先端面に給送用開口４１を備えたカセット本体４３と、前記給送用開口４１の一部を閉塞するように前記カセット本体４３に対して可動状態で設けられる内壁４５と、前記内壁４５の第１姿勢４７と第２姿勢４９を前記カセット用開口９に対する着脱操作によって切り換える切換え機構５１と、を備えることによって基本的に構成されている。
【００３３】
カセット本体４３は、後端面と左右の側端面及び底面が閉塞され、先端面と上面が開放された浅底の矩形トレイ状の部材で、前記開放された上面の一部には図示しないカバーが着脱自在或いは開閉自在に設けられている。  
また、カセット本体４３の内部には、カセット本体４３内に収容される用紙Ｐの左右の側端縁に当接して当該用紙Ｐの側端位置を位置決めする幅方向Ｂに接近、離反可能な側端エッジガイド５３Ｌ、５３Ｒと、当該用紙Ｐの後端縁に当接して当該用紙Ｐの後端位置を位置決めする前後方向（着脱方向）Ａに摺動可能な後端エッジガイド５５と、が設けられている。
【００３４】
また、前記カセット本体４３は、収容する用紙Ｐのサイズに応じて前後方向Ａに伸縮できるように構成されており、前記カセット本体４３の後端面（プリンター本体２に装着された状態では前面になる）には、カセット本体４３を伸縮させる際に手を掛けて取っ手として使用する凹陥部５７を一例として中央に備えるパネル５９が設けられている。  
また、前記カセット本体４３の給送用開口４１寄りの底部の左右には、後述するスライダー６１Ｌ、６１Ｒと係合する摺動凹部６３Ｌ、６３Ｒが形成されており、該摺動凹部６３Ｌ、６３Ｒの先端位置には、後述するスライダー６１Ｌ、６１Ｒの第１位置６７を決めるストッパー６５が設けられている。
【００３５】
この他、カセット本体４３の左右の側壁７１Ｌ、７１Ｒの基部と、カセット本体４３の底部には、次に述べる内壁４５の揺動軸７３を支持する軸受部７５が設けられている。  
前記内壁４５と切換え機構５１は、カセット本体４３の左右に分断された状態で２組設けられており、これらを区別する場合にはカセット本体４３の左端側に設けられているものを内壁４５Ｌ、切換え機構５１Ｌと記し、カセット本体４３の右端側に設けられているものを内壁４５Ｒ、切換え機構５１Ｒと記す。
【００３６】
前記内壁４５は、一例として矩形平板状の部材で、揺動軸７３を下端部に設け、該揺動軸７３を揺動支点として、図２、図４、図６及び図１０（Ａ）に示す第１姿勢４７と、図３、図５、図７及び図１１（Ｄ）に示す第２姿勢４９との間で揺動可能に設けられている。  
尚、前記内壁４５の第１姿勢４７は、用紙Ｐを給送用カセット３に収容（セット）するとき、積畳状態の用紙Ｐの先端縁３７を内壁４５の内壁面４６に当接させて用紙Ｐの先端位置を揃える際にとる姿勢である。
【００３７】
具体的には、図示のようなカセット本体４３の底面に対して垂直な垂直姿勢や前記用紙Ｐの先端位置を揃えることができる前記垂直姿勢を中心とする一定角度の範囲の立設姿勢を第１姿勢４７とすることができる。  
一方、前記内壁４５の第２姿勢４９は、用紙Ｐの給送時に最上位の用紙Ｐと次位以降の用紙Ｐの先端縁３７を内壁４５の内壁面４６に突き当てて分離するときにとる姿勢である。  
【００３８】
具体的には、図示のように内壁４５の上部が用紙Ｐの給送方向Ｃに幾分、偏倚した傾斜姿勢が第２姿勢４９であり、当該第２姿勢４９をとったときの内壁４５の傾斜角度θは、一例として４５°〜８５°の範囲内で、用紙Ｐの厚さや種類等の違いに応じて適宜の角度に設定される。  
また、前記内壁４５の揺動支点となる揺動軸７３の一部には、前記内壁４５が常時、第２姿勢４９をとるように付勢する付勢部材の一例である捩りコイルバネ７７のコイル部が外嵌しており、該コイル部の一端から延びる係止片が前記内壁４５の内壁面４６の一部に係止され、該コイル部の他端から延びる係止片が前記カセット本体４３の底部の一部に係止されている。
【００３９】
また、図４、図５に示す左端側の内壁４５Ｌの基部には、カセット本体４３の幅方向Ｂの中央付近に水平に張り出す延長杆９９が一体に設けられている。そして、該延長杆９９の先端には鉤状の補助レバー１０１が設けられていて、該補助レバー１０１の内壁面１０２が前記内壁４５の内壁面４６と同じ傾斜角度θで前後方向Ａの同じ位置に設定されている。  
因みに、前記補助レバー１０１は、サイズの小さな用紙Ｐを使用した場合に用紙Ｐの先端縁３７が左右の内壁４５の内壁面４６に突き当たる作用長が短かくなって、当該内壁４５の所望の動作が不安定になるのを防止する目的で設けられている。
【００４０】
切換え機構５１は、前記カセット本体４３の底部に形成した摺動凹部６３に係合して前後方向Ａに摺動可能に設けられるスライダー６１と、該スライダー６１に対して設けられ、前記内壁４５の第１姿勢４７を保持するカム高さＨの保持作用面７９を有するカム８１と、前記内壁４５に対して設けられ、前記カム８１の保持作用面７９に当接することで第２姿勢４９をとっていた内壁４５を第１姿勢４７に移行させるカムフォロア８３と、を具備することによって基本的に構成されている。
【００４１】
このうち、スライダー６１は、前記摺動凹部６３に係合する一例として幅方向Ｂに長い矩形ブロック状の部材で、本実施例に係る給送用カセット３を前記カセット用開口９に装着する時、前記内壁４５の第１姿勢４７を保持する第１位置６７から、前記内壁４５の第１姿勢４７の保持を解除して前記内壁４５を第２姿勢４９に移行させる第２位置６９に移動する。この移動は、記録装置本体２の対応する位置に設けられている押込み作用部（図示せず）が当接する（度当る）ことによって行われるようになっている。  
また、本実施例に係る給送用カセット３をカセット用開口９から取り外す時、スライダー６１は、前記第２位置６９から前記第１位置６７に移動する。この移動は、本実施例では、スライダー６１の奥部に配設されている付勢部材（図示せず）の付勢力（復位力）によって行われるようになっている。
【００４２】
尚、前記スライダー６１の第１位置６７は、スライダー６１の先端面６１ａが前述した摺動凹部６３の先端側の端部に設けられているストッパー６５に当接することによって設定され、一方、前記スライダー６１の第２位置６９は、スライダー６１の後端面６１ｂが摺動凹部６３の後端側の端部に設けられる図示しないストッパーに当接することによって設定されている。尚、前記スライダー６１の第２位置６９は、当該スライダー６１と係合する内壁４５を介して、該先端面４５の第２姿勢４９を設定する図示しないストッパーに前記内壁４５が当接することによって設定されるようにしてもよい。
【００４３】
また、前記カム８１は、前記保持作用面７９を有する水平保持部８０と、前記水平保持部８０の給送用開口４１側の端部から給送用開口４１に向って徐々にカム高さＨが低くなる傾斜案内面８５を有する傾斜案内部８６と、を備えることによって一例として構成されている。  
また、前記カムフォロア８３は、前記内壁４５が第１姿勢４７をとっているときに前記保持作用面７９と平行になって当接する基端当接面８７を備えることによって一例として構成されている。
【００４４】
次に、このようにして構成される本実施例に係る給送用カセット３の作動態様を給送用カセット３に用紙Ｐをセットするセット時（１）と、用紙Ｐがセットされた給送用カセット３をカセット用開口９に装着する装着時（２）と、カセット用開口９に装着されていた給送用カセット３をカセット用開口９から取り外す取外し時（３）とに分けて説明する。
【００４５】
（１）セット時（図１０（Ａ）参照）
給送用カセット３に用紙Ｐをセットする場合には、カセット用開口９に装着されている給送用カセット３をカセット用開口９から引き抜いて外部に取り外す。  
次に、カセット本体４３の開放された上面を覆っている図示しないカバーを取り外し、側端エッジガイド５３と後端エッジガイド５５のロックを外して拡張状態にする。また、セットする用紙Ｐのサイズが大きく収縮状態のカセット本体４３にセットできない場合には、カセット本体４３のロックを外してカセット本体４３を伸長状態にする。
【００４６】
そして、記録の実行に使用する積畳状態の用紙Ｐの先端縁３７を第１姿勢４７に位置している内壁４５の内壁面４６に突き当てて、即ち当接させて用紙Ｐの先端位置を揃えつつカセット本体４３上に当該用紙Ｐをセットする。  
尚、この際、カムフォロア８３下面の基端当接面８７がカム８１の水平保持部８０上面の保持作用面７９に当接した状態になっており、前記内壁４５の第１姿勢４７が保持されているため、ユーザーは当該用紙Ｐの先端位置を揃える際に「突き当て感」を実感しつつ行える。
【００４７】
次に、拡張状態にした側端エッジガイド５３と後端エッジガイド５５を当該用紙Ｐのサイズに合わせて収縮させ、当該用紙Ｐの左右の側端位置と後端位置の位置決め完了後、再び側端エッジガイド５３と後端エッジガイド５５をロックする。  
そして、前記取り外したカバーを再びカセット本体４３の上面に被せる。
【００４８】
（２）装着時（図１０（Ｂ）〜図１１（Ｄ）参照）
続いて用紙Ｐがセットされた給送用カセット３をプリンター本体２の前面のカセット用開口９から用紙Ｐの給送方向Ｃに移動させ、給送用カセット３をカセット用開口９の奥部までしっかりと挿し込んで装着する。  
この際、前記スライダー６１は、記録装置本体２の前記押込み作用部に度当ってそのままの位置に留まろうとするため、前記カセット本体４３の装着方向である前方への移動と逆の後方に相対移動する。そして、スライダー６１が図１０（Ｂ）の位置に来ると、カムフォロア８３の基端当接面８７は、カム８１の保持作用面７９から傾斜案内面８５へと接触位置が移動し、前記内壁４５の第１姿勢４７での保持状態が解除されて、捩りコイルバネ７７による付勢力によって第２姿勢４９に向けての揺動を開始する。
【００４９】
スライダー６１が更に移動して図１１（Ｃ）の位置に来ると、カム８１とカムフォロア８３との当接状態が解除されるため、前記内壁４５は、スライダー６１側からの負荷抵抗を受けることなく円滑に揺動するようになる。  
そして、スライダー６１が図１１（Ｄ）に示す第２位置６９に到達したところで、該スライダー６１の相対移動が終了し、前記内壁４５の揺動も終了して当該内壁４５は第２姿勢４９に移行する。
【００５０】
内壁４５が第２姿勢４９に移行したときの内壁４５の内壁面４６は、最上位の用紙Ｐと次位以降の用紙Ｐとを分離する分離傾斜面になるので、当該分離傾斜面によって用紙Ｐに対して重送を防止する分離が実行される。  
尚、用紙Ｐの紙種や厚さ等の性状の違いによって前記内壁４５による分離だけでは充分に分離できず、搬送経路１１に重送されて供給された用紙Ｐについては、前述したリタードローラー２６による分離が実行されて最上位の１枚の用紙Ｐのみが記録実行領域１５に供給されるようになっている。
【００５１】
（３）取外し時（図１０（Ａ）（Ｂ）、図１１（Ｄ）参照）
給送用カセット３の前面のパネル５９の凹陥部５７に手を掛けてカセット用開口９に装着されている給送用カセット３をカセット用開口９から引き抜いて外部に取り外す。  
この際、前記スライダー６１は、前記度当り状態が解除されるので、前記付勢部材による付勢力（復位力）を受けて前記カセット本体４３の取外し方向である後方への移動と逆の前方に相対移動する。そして、スライダー６１が図１１（Ｄ）に示す第２位置６９から図１０（Ｂ）の位置に来ると、カムフォロア８３の基端当接面８７がカム８１の傾斜案内面８５に当接するようになり、前記内壁４５は捩りコイルバネ７７の付勢力に抗して徐々に揺動を開始して第２姿勢４９から第１姿勢４７へと移行する揺動軌跡をとる。
【００５２】
スライダー６１が更に移動すると、カムフォロア８３の基端当接面８７は、カム８１の傾斜案内面８５から保持作用面７９へと接触点が移動し、前記内壁４５は揺動速度を速めて、図１０（Ａ）に示す第１姿勢４７に移行する。  
そして、前記スライダー６１の先端面６１ａがストッパー６５に当接して第１位置６７に至ると、スライダー６１の移動が停止して前記内壁４５は、前記カムフォロア８３の基端当接面８７と前記カム８１の保持作用面７９との当接による保持作用によって第１姿勢４７で保持された状態になる。
【００５３】
そして、このようにして構成される本実施例に係る給送用カセット３によれば、用紙Ｐをカセット本体４３にセットするとき、用紙Ｐの先端縁３７が内壁４５に突き当たった感覚を伴って用紙Ｐの先端位置を揃えることが可能になる。  
また、用紙Ｐがセットされた給送用カセット３をプリンター本体２に装着するとき、当該装着の操作を実行するだけで前記内壁４５を最上位の用紙Ｐと次位以降の用紙Ｐとを分離する所望の分離性能を発揮し得る状態に移行させることが可能になる。  
従って、内壁４５の姿勢を変化させる別途の動力を必要とすることなく、構造と操作が簡単な被記録材給送用カセット３を提供できるようになる。
【００５４】
［他の実施例］
本発明に係る被記録材給送用カセット３及び該被記録材給送用カセット３を備えた記録装置１は、以上述べたような構成を有することを基本とするものであるが、本願発明の要旨を逸脱しない範囲内の部分的構成の変更や省略等を行うことも勿論可能である。
【００５５】
例えば、前記実施例の場合には、図１１（Ｃ）（Ｄ）に示すように、内壁４５とスライダー６１とが互いの動きに拘束されないでそれぞれ個別に移動することができる状態が存在するが、図１２、図１３に示す他の実施例のように、内壁４５とスライダー６１の動きを一連の行程を通じて関連付けて移動できるようにすることも可能である。
【００５６】
このうち、図１２に示す被記録材給送用カセット３Ａは、カム８１Ａの傾斜案内面８５を給送方向Ｃ側に延ばし、カムフォロア８３Ａの先端部に常時、前記傾斜案内面８５に転接するコロ８９を設けた実施例である。  
この実施例の場合には、図１２（Ａ）に示すように、前記内壁４５が第１姿勢４７に移行して保持されている状態では、カムフォロア８３Ａの基端当接面８７がカム８１Ａの保持作用面７９上に位置し面接触した状態になっており、前記コロ８９は傾斜案内面８５上の保持作用面７９寄りに位置し線接触した状態になっている。
【００５７】
また、スライダー６１が移動を開始すると、内壁４５も連動して揺動するようになり、カムフォロア８３Ａの基端当接面８７とコロ８９は接触する位置を変えながらカム８１Ａの傾斜案内面８５上を移動して行く。  
そして、スライダー６１が第２位置６９に到達した図１２（Ｂ）に示す状態では、内壁４５は第２姿勢４９に移行し、この状態でもカムフォロア８３Ａのコロ８９は、カム８１Ａの傾斜案内面８５上に位置し、当接した状態になっている。
【００５８】
また、図１３に示す被記録材給送用カセット３Ｂは、内壁４５とスライダー６１及びカム８１とカムフォロア８３の構成は前記図１〜図１１に示す実施例と同じであるが、内壁４５とスライダー６１とが連動して動くようにするリンク機構９１が両者の間に設けられている点で前記実施例と構成を異にしている。  
具体的には、リンク機構９１は、内壁４５に設けた支持点Ｑから延びる揺動ロッド９３と、該揺動ロッド９３に外嵌する摺動子９５と、一端が該摺動子９５に回転可能に接続され、他端が前記スライダー６１に接続されて前後方向Ａに摺動する摺動ロッド９７と、を備えることによって一例として構成されている。
【００５９】
この実施例の場合には、スライダー６１が第１位置６７に位置し内壁４５が第１姿勢４７をとっている図１３（Ａ）に示す状態では、前記揺動ロッド９３は自由端側を給送方向Ｃに偏倚させた傾斜姿勢をとっており、前記摺動ロッド９７も給送方向Ｃに移動した状態になっている。  
また、この状態からスライダー６１を第２位置６９に向けて移動させると、前記揺動ロッド９３は内壁４５と共に図中、反時計方向に揺動するようになり、前記摺動ロッド９７もスライダー６１と共に図中、右方に移動する。
【００６０】
また、スライダー６１が第２位置６９に到達すると、図１３（Ｂ）に示すように、内壁４５は第２姿勢４９に移行し、前記揺動ロッド９３は垂直姿勢に近い状態になり、前記摺動ロッド９７は後端位置に到達する。  
そして、このようにして構成される図１２、図１３に示す被記録材給送用カセット３Ａ、３Ｂによっても、前記図１〜図１１に示す実施例と同様の作用、効果が発揮でき、更に図１２、図１３に示す実施例の場合には、スライダー６１の位置と内壁４５の傾斜角度θとが一連の行程を通じて関連付けられているので、スライダー６１と内壁４５の動作が安定する。
【００６１】
この他、本発明の被記録材給送用カセット３は、前述したインクジェットプリンター以外の他の記録装置１に適用することが可能であり、内壁４５と切換え機構５１をカセット本体４３の幅方向Ｂの左右に２組設ける構成に代えて、カセット本体４３の幅方向Ｂの全長に亘って形成される１組の内壁４５と切換え機構５１とによって構成することが可能である。
【符号の説明】
【００６２】
１  インクジェットプリンター（記録装置）、２  プリンター本体（記録装置本体）、
３  被記録材給送用カセット（給送用カセット）、５  操作部、６  排出用開口、
７  排出用スタッカー、８  スキャナー、     ９  カセット用開口、１１  搬送経路、
１１ａ  順経路、１１ｂ  復経路、１２  反転部、１３  給送装置、
１５  記録実行領域、１７  搬送装置、１９  記録実行装置、２１  揺動アーム、
２３  ピックアップローラー、２４  駆動軸、２５  反転ローラー、
２６  リタードローラー、２７  ガイドローラー、２８  ガイドローラー、
２９  搬送用ローラー、３０  排出用ローラー、３１  記録ヘッド、
３３  キャリッジ、３５  支持部材、３７  先端縁、４１  給送用開口、
４３  カセット本体、４５  内壁、４６  内壁面、４７  第１姿勢、
４９  第２姿勢、５１  切換え機構、５３  側端エッジガイド、
５５  後端エッジガイド、５７  凹陥部、     ５９  パネル、６１  スライダー、
６１ａ  先端面、６１ｂ  後端面、６３  摺動凹部、６５  ストッパー、
６７  第１位置、６９  第２位置、７１  側壁、７３  揺動軸、７５  軸受部、
７７  捩りコイルバネ（付勢部材）、７９  保持作用面、８０  水平保持部、
８１  カム、８３  カムフォロア、８５  傾斜案内面、８６  傾斜案内部、
８７  基端当接面、８９  コロ、９１  リンク機構、９３  揺動ロッド、
９５  摺動子、９７  摺動ロッド、９９  延長杆、１０１  補助レバー、
１０２  内壁面、Ｐ  用紙（被記録材）、     Ａ  前後方向、Ｂ  幅方向、
Ｏ  揺動支点、Ｃ  給送方向、θ  傾斜角度、Ｈ  カム高さ、Ｑ  支持点
【図１】
2012201442.tif 000003
【図２】
2012201442.tif 000004
【図３】
2012201442.tif 000005
【図４】
2012201442.tif 000006
【図５】
2012201442.tif 000007
【図６】
2012201442.tif 000008
【図７】
2012201442.tif 000009
【図８】
2012201442.tif 000010
【図９】
2012201442.tif 000011
【図１０】
2012201442.tif 000012
【図１１】
2012201442.tif 000013
【図１２】
2012201442.tif 000014
【図１３】
2012201442.tif 000015